(57)【特許請求の範囲】
【請求項１】
遊技機の外形をなす矩形状の外枠と、該外枠の一方の外枠側部側に配置されたヒンジを介して開閉可能に設けられた内枠とを備えた遊技機であって、
前記外枠は、前記ヒンジ側の外枠側部の前面に少なくともその遊技盤に対応する高さ領域を含む切欠きを形成することで、当該ヒンジ側の外枠側部の前面が開放側の外枠側部の前面よりも後方に位置するように形成されており、
前記内枠は、前記ヒンジ側の内枠側部の外側面に固定配置される板金を含んで構成され、前記外枠に前記内枠を閉じた状態で、前記板金が前記ヒンジ側の外枠側部の切欠きを覆って延設され前記遊技盤より後方であって前記ヒンジ側の外枠側部との隙間が閉鎖されている遊技機。
【請求項２】
前記板金は、後端部が前記ヒンジ側の内枠側部の外側面から内側に向けて鉤状に折り曲げられ、該鉤状後端部に前記外枠側部の前面に突設された外枠リブが当接して閉鎖されている請求項１記載の遊技機。
【発明の詳細な説明】
【技術分野】
【０００１】
本発明は、遊技機に関する。
【背景技術】
【０００２】
パチンコ機などの遊技機には、外枠に対して開閉可能に設けられた内枠に遊技盤が着脱可能に組み付けられている。内枠には前面枠が開閉可能に設けられている。
【０００３】
内枠は、遊技盤を交換したり、制御基板を確認したり球詰まりを解消したり或いはメンテナンスなどのために開閉できるように外枠の一方側の外枠側部に設けられる外枠ヒンジを介して開閉可能に取り付けられている。
【０００４】
内枠の前面側には遊技領域が形成され、内枠の背面側には制御基板や払出装置が設けられるため、当該外枠と内枠の隙間からピアノ線やセル、針金などの異物を侵入させて不正に賞球を得たり、制御基板にアクセスしたりするゴト行為が行なわれるおそれがある。特に、近年のパチンコ機においてはセンター役物の大型化の影響もあり、一般的に盤面に向かって左側（ヒンジ側）に遊技球を打ち出すことが多いことから、異物によって遊技球を入賞装置に向けてその流下方向を操作して不正に入賞させることができるために、ヒンジ側の内枠（内枠側部）と外枠（外枠側部）との間に生じる隙間が、該異物を進入させる標的となりやすい。また、ヒンジ側の外枠側部や内枠側部は、軽量化やリサイクル性を高めるため、樹脂材や金属材が用いられることがあるが、たわみや個体差によるクリアランスを設ける必要があり、そのため隙間が生じ易くなる。
【０００５】
かかる不正行為を防止する不正防止機構について例示する。内枠のヒンジ側に近い裏面に金属プレートがその平坦止着部にて止着されている。この平坦止着部に対して後方へ９０度起立する起立部と該起立部に対して平坦止着部と平行になるように更に９０度折り曲げられた嵌合部が設けられている。また、外枠のヒンジが設けられる左縦部材の内面には忍び返し用凹溝が設けられている。内枠を外枠に閉じると、嵌合部が左縦部材の忍び返し用凹溝に嵌合することで異物侵入阻止部を形成するようになっている。また、金属プレートは、内枠裏面に全長にわたって形成されているので、樹脂製の内枠の剛性を高めている（特許文献１参照）。
【特許文献１】特開平０８−２８０９０３号公報
【発明の開示】
【発明が解決しようとする課題】
【０００６】
しかしながら、上述した不正防止機構においては、外枠と内枠のヒンジ部が設けられる遊技者に近いコーナー部の内部で、金属プレートを折り曲げた嵌合部と外枠の凹溝との嵌合により、異物侵入阻止部を設けているが、依然として外枠と内枠の隙間から異物の侵入を試みることができる。また、開閉する金属プレートの嵌合部と嵌合する凹溝との間には個体差による隙間が生じ易いため、異物侵入を防ぐ観点からは不完全である。また、外枠の左縦部材に長手方向にわたって凹溝を設け、金属プレートを複数回にわたって折り曲げ加工する必要があるため加工工数が増えるうえに、取付け位置の調整も必要になる。また、内枠の裏面側に金属プレートを設けているため遊技盤の遊技領域が狭くなるという問題もある。
【０００７】
本発明の目的は、簡易な構成で外枠と内枠の隙間からの異物の侵入を防ぎ、あわせて遊技領域の拡大を実現することができる遊技機を提供することにある。
【課題を解決するための手段】
【０００８】
本発明は上記目的を達成するため、次の構成を備えることを特徴とする。
遊技機の外形をなす矩形状の外枠と、該外枠の一方の外枠側部側に配置されたヒンジを介して開閉可能に設けられた内枠とを備えた遊技機であって、前記外枠は、前記ヒンジ側の外枠側部の前面に少なくともその遊技盤に対応する高さ領域を含む切欠きを形成することで、当該ヒンジ側の外枠側部の前面が開放側の外枠側部の前面よりも後方に位置するように形成されており、前記内枠は、前記ヒンジ側の内枠側部の外側面に固定配置される板金を含んで構成され、前記外枠に前記内枠を閉じた状態で、前記板金が前記ヒンジ側の外枠側部の切欠きを覆って延設され前記遊技盤より後方であって前記ヒンジ側の外枠側部との隙間が閉鎖されていることを特徴とする。
【０００９】
また、前記板金は、後端部が前記ヒンジ側の内枠側部の外側面から内側に向けて鉤状に折り曲げられ、該鉤状後端部に前記外枠側部の前面に突設された外枠リブが当接して閉鎖されていることを特徴とする。
【発明の効果】
【００１２】
上述した遊技機を用いれば、外枠に対して内枠が閉じた状態のとき、ヒンジ側の内枠側部の後端部が開放側の外枠側部の前面よりも後方へ延設されてヒンジ側の外枠側部の前面に対向配置されるので、ヒンジ側の外枠側部の前面と内枠側部の後端部との対向位置が開放側の外枠側部の前面と内枠側部との対向位置よりも後方に位置することとなり、ヒンジ側において効果的に異物の侵入を抑制及び防止することができる。したがって、遊技機をホールの組み付け部（島）に組み付けた状態で、ヒンジ側の内枠と外枠との隙間である対向部が遊技者側から見て手の届かない遊技機の奥側に位置するので（例えば、組み付け部（島）の前面よりも奥側（後側）に隠れる）、不正を働こうとする者がそれら外枠と内枠の隙間に異物を侵入させることを試みることすらできず、不正防止を強化することができる。
【００１３】
また、内枠に遊技盤が支持されており、少なくともその遊技盤に対応する高さ領域において、前記ヒンジ側の外枠側部の前面が前記開放側よりも後方に位置するように形成されているので、入賞装置などが取り付けられた遊技盤の遊技領域に対して、内枠と外枠の隙間から異物を侵入させる不正行為を防止することができる。また、ヒンジ側の外枠側部が後方に位置することにより、内枠を大きく形成することができるので、遊技盤及びその遊技領域を広げる（例えば、前後方向，左右方向）ことができる。
【００１４】
また、内枠は、ヒンジ側の内枠側部の外側面に固定配置される板金を含んで構成され、当該板金の後端部が内枠側部の外側面から内側に向けて鉤状に折り曲げられ、前記外枠に内枠が閉じた状態のとき、前記板金の鉤状後端部が前記ヒンジ側の外枠側部の前面と対向するように後方へ延設されているので、内枠が熱により穴を開けられるのを防止するとともに、内枠（板金）と外枠の隙間から異物を侵入する不正行為を効果的に防止することができる。また、ヒンジ側の内枠側部の板厚を薄くしても板金により剛性が保てるので、遊技盤の遊技領域を幅方向に拡大することができる。
また、上述した遊技盤の設置領域の拡大によって遊技盤の配置の自由度が増し、板金が組み付けられた内枠側部の内側に形成される空間部には遊技機背面側に設けられる構造部品、例えば発光基板や中継基板、タンクや賞球の払出しなどの球通路、或いはそれらの配線スペースを設けることも可能になるため、装置構成のレイアウトの自由度が増す。
【００１５】
また、ヒンジ側の外枠側部の前面と、その前面に対向する内枠側部の対向面とのうち少なくとも一方に相手側との隙間を狭める突出部が設けられているので、遊技機を正面視して遊技者側を前方（手前）とする前後方向の後側（奥側）に隙間が配置されるとともに該隙間を狭める突出部の存在により隙間に異物を侵入させることがほとんど不可能となるため、防犯性を強化することができる。
【発明を実施するための最良の形態】
【００１６】
以下、本発明の実施形態について図面を参照しながら具体的に説明する。
図１及び図２を参照して本実施形態に係る遊技機の概略構成について説明する。本実施形態では遊技機の一例としてパチンコ機を例示して説明するものとする。パチンコ機１は、当該パチンコ機１の外形をなす外枠２と、遊技盤３が設けられた内枠４（図２参照）と、該内枠４を覆う前面枠５を備えている。図２において、矩形状の外枠２のうち外枠ヒンジ６が設けられる一方側（ヒンジ側）の外枠側部２ａの前面２ｃが切り欠かれて他方側（開放側）の外枠側部２ｂの前面２ｄより奥まって形成されている。尚、外枠側部に形成される切り欠き形状とは、遊技機を正面視して両側の外枠側部のうち開放側よりヒンジ側の奥行き寸法が短い細枠形状を言う。すなわち、外枠側部の一部に切り欠きを設けて形成してもよいし、奥行き寸法の短い外枠側部を用いて全体を切り欠きとして形成してもよい。
【００１７】
図２に示すように、内枠４は外枠ヒンジ６により外枠側部２ａに対して開閉可能に取り付けられている。また、前面枠５（図１参照）は内枠ヒンジ７により内枠側部４ａに対して開閉可能に取り付けられている。内枠４には、外枠２に対して内枠４及び前面枠５が閉じた状態のとき、当該内枠４（内枠側部４ａ）と前面枠５の隙間への異物侵入に対する不正防止機構を構成する板金２４が設けられている。尚、外枠ヒンジ６と内枠ヒンジ７は、共通のヒンジを設けて内枠４及び前面枠５を開閉するようにしてもよい。
【００１８】
図１に戻り、前面枠５の中央部には遊技者が遊技盤３を視認できる窓部８が設けられている。該窓部８の周囲には装飾部９や図示しないスピーカーなどが設けられている。また、遊技盤３の中央部には、図柄表示装置（液晶表示装置）１１が設けられている。
【００１９】
また、前面枠５の下方には、貸球や賞球を貯留し図示しない発射装置へ球を誘導する球受け皿１２、球受け皿１２の左側にタバコの吸殻を収容する灰皿１３、球受け皿１２の右側に遊技盤３に遊技球を打ち出すためのハンドル１４が各々設けられている。本実施形態におけるパチンコ機１の前面枠５は、上下に設けられたガラス枠と球受け皿枠とが内枠ヒンジ７を中心に個別に開閉できるようになっている。尚、前面枠５はガラス枠と球受け皿枠とが一体となって開閉できるものでもよい。
【００２０】
遊技盤３には、上縁部に装飾部を有するセンター役物１５、釘１６（図３参照）、風車１７、スルーチャッカー１８、電動チューリップ１９、アタッカー２０、レール２１、サイドランプ２２などの盤面部品やアウトロ２３などが設けられている。
【００２１】
ここで、上記パチンコ機において外枠２と内枠４との間の隙間からの異物の侵入を防ぐ不正防止構造の一例を図２乃至図６を参照して説明する。
図２及び図３に示すように、板金２４が、外枠ヒンジ６と連繋する内枠４の内枠側部４ａの外側面４ｂに内枠４（内枠側部４ａ）の上端から下端にわたって固定配置されている。具体的には、板金２４は内枠側部４ａの上下に設けられた内枠ヒンジ７に固定されている。尚、内枠ヒンジ７と板金２４を一体に形成することもできる。その場合には、さらに部品点数も少なくなり、取付け位置の調整も簡単で組み付けが容易に行なえる。
【００２２】
また、板金２４には、前方に向けて延設された前端部２４ａが形成されており、内枠４に対して前面枠５（図１参照）が閉じた状態のとき、後述する前面枠５の外側面５ａに形成された枠体凹部２５に当接するように組み付けられている（図３参照）。これにより、板金２４は、内枠４に対して前面枠５が閉じた状態のときに当該内枠４と前面枠５の隙間を覆い、異物の侵入を防ぐことができる。また、板金２４が内枠４（内枠側部４ａ）の上端から下端にわたって固定配置されているので、前面枠５としてのガラス枠（上部）との隙間はもちろんのこと球受け皿枠（下部）との隙間を塞ぐことができ、確実な不正防止効果を有する。尚、前面枠５に球受け皿１２が一体に取り付けられている場合でも同様の不正防止効果を有する。
【００２３】
図２及び図４に示すように、板金２４の前端部２４ａは内枠４の外側面４ｂから内側に向けて鉤状（略Ｌ字状）に折り曲げられており、当該前端部２４ａは内枠４の前面側に突設されている（図４参照）。また、前面枠５の外側面５ａは樹脂材（例えば、ＡＢＳ樹脂など）で形成されており、該外側面５ａには板金２４の前端部２４ａに沿うように長手方向に枠体凹部（有底凹部）２５が形成されている。前面枠５が内枠４に閉じた状態のとき、板金２４の前端部２４ａが枠体凹部２５に挿入されて先端面２４ｄが底部と当接している（図３参照）。また、内枠４の前端部内側面４ｃに前面枠５の先端面５ｂが当接している。
【００２４】
また、図３において外枠２に対して内枠４を閉じたとき、ヒンジ側の外枠側部２ａと内枠側部４ａとの対向部Ｆが開放側の外枠側部２ｂの前面２ｄ（図２参照）より遊技機１を正面視して遊技者側を前方（手前）とする前後方向の後方（奥側）に形成されるようになっている。
これにより、遊技機１をホールの組み付け部（島）に組み付けた状態で内枠２と外枠４との隙間が遊技者側から見て手の届かない遊技機１の奥側に位置する。図３のラインＰが後方（奥側）に埋設される部分と遊技者側（前側）に露出する部分との境界線である。よって、例えば不正を働こうとする者が外枠２と内枠４の隙間である対向部Ｆに異物を侵入させることを試みることすらできず、不正防止を強化することができる。
【００２５】
また、板金２４の後端部２４ｂが内枠側部４ａの外側面４ｂから内側に向けて鉤状（略Ｌ字状）に折り曲げられ、内枠側部４ａの段付面２６に沿って設けられている。板金２４の後端部２４ｂと対向する外枠側部２ａには外枠リブ（突出部）２７が突設されている。外枠２に内枠４を閉じたときに、板金２４の鉤状後端部２４ｂと外枠側部２ａの外枠リブ２７が近接して配置される。尚、外枠リブ２７の先端部は鉤状後端部２４ｂと当接していてもよい。
このように遊技機１を正面視してヒンジ側の外枠側部２ａと内枠側部４ａの対向部Ｆの配置とともに隙間を狭める外枠リブ２７の存在により、外枠２と内枠４の隙間に異物を侵入させることがほとんど不可能となるため、防犯性を強化することができる。
【００２６】
以上のように、内枠側部４ａの外側面４ｂに固定配置された板金２４の前端部２４ａが前面枠５に当接して隙間を塞いでいるため、当該隙間に異物を侵入する不正行為を防止することができる。また、内枠側部４ａの一部を板金２４により代替することができるので、内枠４の強度を板金２４により補完して内枠側部４ａの厚さを薄くすることが可能となり、遊技盤３の遊技領域を拡大することや、遊技盤３や遊技機背面側の構造物のレイアウトの自由度を高めることもできる。また、前面枠５の外側面５ａは樹脂材で形成されているため、その樹脂材で形成された前面枠（外側面）が撓むなどの変形をすることで、板金２４の個体差を吸収して干渉による影響を少なくすることができる。また、不具合なく当接させることができるので、隙間の発生を抑制又は防止できる。そして、板金２４の組み付けが容易に行なえる。
【００２７】
また、外枠側部２ａ又は内枠側部４ａの一部を板金２４にすることで、盤面から垂直に板金２４を配置でき、内枠側部４ａの抜き勾配による隙間を減らすことができる。また、内枠側部４ａの内側に板金を設けた場合にはその抜き勾配により遊技盤設置領域が圧迫されるおそれがあるが、内枠側部４ａの外側面４ｂに板金２４を設けると、遊技領域を広げてかつ取り付けに制約を受けずに組み付けることができる。
【００２８】
図５に不正防止構造の他例を示す。図３及び図４と同一部材には同一番号を付して説明を援用するものとする。この他例に係る実施形態では、前述した実施形態における板金２４が省略された態様となっている。
図５に示すように、内枠４の外枠ヒンジ６（図２参照）と連繋する内枠側部４ａは、樹脂枠体により形成されている。内枠側部４ａの前端部４ｄは、前面枠５の外側面５ａに設けられた枠体凹部２５まで延設されており、内枠４と前面枠５の隙間を覆っている。また、内枠４の前端部内側面４ｃに前面枠５の先端面５ｂが当接している。
【００２９】
また、ヒンジ側の内側側部４ａの後端部（具体的には、背面側の段付部２６）が後方へ延設されており、内枠４が外枠２へ閉じた状態のとき、ヒンジ側の外枠側部２ａの前面２ｃと対向配置されている。そして、内枠側部４ａの背面側の段付部２６（後端部）と外枠側部２ａとで隙間である対向部Ｆを形成している。外枠側部２ａの対向面には、外枠リブ２７が突設されている。外枠２に内枠４を閉じたときに、内枠側部４ａの段付部２６と外枠側部２ａの外枠リブ２７が近接して配置される。尚、外枠リブ２７の先端部は鉤状後端部２４ｂと当接していてもよい。
以上のような構成によっても、遊技機１を正面視して前後方向奥側の対向部Ｆの配置とともに隙間を狭める外枠リブ２７の存在により、内枠と外枠２の隙間自体に異物を侵入させることがほとんど不可能となるため、防犯性を強化することができる。
【００３０】
図６に不正防止構造の他例を示す。図３及び図４と同一部材には同一番号を付して説明を援用するものとする。
図６に示すように、前面枠５が内枠４に閉じた状態のとき、板金２４の前端部２４ａが枠体凹部２５に挿入されて先端面２４ｄが底部と当接している。また、内枠４の前端部内側面４ｃに前面枠５の先端面５ｂが当接している。また、板金２４の鉤状後端部２４ｂと外枠側部２ａの外枠リブ２７が近接して配置される。尚、外枠リブ２７の先端部は鉤状後端部２４ｂと当接していてもよい。
【００３１】
図６に示すように、内枠４は、外枠側部２ａの前面が後方に位置するので、ヒンジ側の内枠側部４ａが幅方向に拡大され、空間部Ｓを形成している。前述した実施形態のように、内枠４の内側の遊技盤３を拡大できるほか、空いた空間部Ｓを部品配置スペースとして活用することができる。例えば、外側面４ｂに板金２４が組み付けられた内枠側部４ａの内側にはＬＥＤが基板実装された発光基板２８，２９が各々組み付けられている。発光基板２８は遊技盤３と平行に遊技領域に向けて光照射する。また、発光基板２９は前面枠５の装飾部９に向けて光照射する。このように、板金２４が組み付けられた内枠側部４ａの内側に遊技機背面側に設けられる構造部品、例えば発光基板、中継基板、タンクや賞球の払出しなどの球通路、或いはそれらの配線スペースとして空隙部Ｓを設けることも可能になり、装置構成のレイアウトの自由度が増す。
【００３２】
なお、遊技機の一例としてパチンコ機について説明したが、他に例えばアレンジボール遊技機、パチスロ遊技機、雀球遊技機等の他の遊技機にも適用できる。
【図面の簡単な説明】
【００３３】
【図１】遊技機の正面図である。
【図２】外枠、内枠及び板金の分解斜視図である。
【図３】内枠を外枠に閉じた状態の水平方向部分断面図である。
【図４】図３の前面枠を内枠から開放した状態の水平方向部分断面図である。
【図５】他例に係る内枠を外枠に閉じた状態の水平方向部分断面図である。
【図６】他例に係る内枠を外枠に閉じた状態の水平方向部分断面図である。
【符号の説明】
【００３４】
１  遊技機
２  外枠
２ａ，２ｂ  外枠側部
２ｃ，２ｄ  前面
３  遊技盤
４  内枠
４ａ  内枠側部
４ｂ，５ａ  外側面
４ｃ  前端部内側面
４ｄ，２４ａ  前端部
５  前面枠
５ｂ，２４ｄ  先端面
６  外枠ヒンジ
７  内枠ヒンジ
８  窓部
９  装飾部
１１  図柄表示装置
１２  球受け皿
１３  灰皿
１４  ハンドル
１５  センター役物
１６  釘
１７  風車
１８  スルーチャッカー
１９  電動チューリップ
２０  アタッカー
２１  レール
２２  サイドランプ
２３  アウトロ
２４  板金
２４ｂ  後端部
２５  枠体凹部
２６  段付部
２７  外枠リブ
２８，２９  発光基板
Ｆ  対向部
Ｓ  空間部
【図１】
0005305682.tif 000002
【図２】
0005305682.tif 000003
【図３】
0005305682.tif 000004
【図４】
0005305682.tif 000005
【図５】
0005305682.tif 000006
【図６】
0005305682.tif 000007